(57)【要約】      （修正有）【課題】ファインダを覗いた状態でも変更したい撮影モードを確認することができる。【解決手段】モードダイヤル２６によってモードが選択された際に、そのモードに応じた音色の音を音発生装置１１０によって発生させる。音発生装置１１０は、長さの異なる６枚の音階板１２０、１２２、１２４、１２６、１２８、１３０をモードダイヤル２６の回転軌跡に沿って配置するとともに、モード切替位置に対応した位置に配置する。また、係合板１１４の舌状片７８に、音階板１２０〜１３０を弾く弾き板１３２、１３２を水平方向に突設する。したがって、モードダイヤル２６を回動させて弾き板１３２、１３２が音階板１２０〜１３０のうちいずれか一つの音階板を弾くと、その音階板から発する音色は、他の音階板から発する音色とは異なるため、ファインダを覗いた状態であっても、音を聞くことにより、モードダイヤル２６で選択したモードを確認することができる。【選択図】図７
2006154051.tif 000002
【特許請求の範囲】
【請求項１】
カメラ本体に設けられた撮影モードのモード切替部材と、
前記モード切替部材のモード切替操作時に、所定のモードに切り替えられた際に所定の音を発生させる音発生手段と、
を備えたことを特徴とするカメラ。
【請求項２】
前記音発生手段は、
前記モード切替部材のモード切替位置に設けられた音階板と、
前記モード切替部材に取り付けられるとともにモード切替部材の回動又は移動時に前記音階板を弾いて音階板から音を発生させる弾き部材と、
からなることを特徴とする請求項１に記載のカメラ。
【請求項３】
前記音発生手段は、電子音を発生させる手段であることを特徴とする請求項１に記載のカメラ。
【発明の詳細な説明】
【技術分野】
【０００１】
本発明はカメラに係り、特に複数の撮影モードのうち所望の撮影モードに切り換え可能なモードダイヤルが設けられたカメラに関する。
【背景技術】
【０００２】
カメラに設けられているモードダイヤルは、カメラ本体の上面に回動自在に設けられ、回動操作することにより例えば「Ａ（オート）」、「Ｐ（プログラムオート）」、「Ｓ（シャッタースピード優先オート）」、「Ａ（絞り優先オート）」、「Ｍ（マニュアル）」、「ＳＰ（シーンポジション）」の各モードのうち所望のモードを選択することができる。このモードダイヤルで所望のモードが選択されると、カメラ側の自動制御により露出・ホワイトバランス、シャッタースピード、絞り等が自動で制御され、そのモードに応じた最適の条件で撮影することができる。
【０００３】
また、モードダイヤルは、特許文献１に記載のようなクリック機構によって回動操作感が与えられており、モードダイヤルが回動されるとクリック機構からクリック音が発生するとともにモードダイヤルの位置が割り出しされる。
【特許文献１】特開平５−３０５０２号公報
【発明の開示】
【発明が解決しようとする課題】
【０００４】
カメラのモードダイヤルは、通常撮影前に所望のモードを選択し、そのモードに従って次の写真撮影を行うものである。しかしながら、カメラマンがファインダから被写体を覗いた際に、予め選択したモードを別のモードに変更して撮影したい場合が度々生じる。このような場合カメラマンは、ファインダから目を一旦外し、モードダイヤルを直視してモード切り替えを行わなければならない。したがって、その間の時間的なロスによりシャッターチャンスを逃すという問題があった。つまり、特許文献１の如くクリック機構によって回動操作感が与えられただけのモードダイヤルでは、ファインダを覗いた状態では変更したいモードを確認することができないという欠点があった。
【０００５】
本発明は、このような事情に鑑みてなされたもので、カメラマンがファインダを覗いた状態でも変更したいモードを確認することができるカメラを提供することを目的としている。
【課題を解決するための手段】
【０００６】
請求項１に記載の発明は、前記目的を達成するために、カメラ本体に設けられた撮影モードのモード切替部材と、前記モード切替部材のモード切替操作時に、所定のモードに切り替えられた際に所定の音を発生させる音発生手段と、を備えたことを特徴としている。
【０００７】
請求項１に記載のカメラによれば、モード切替部材によって所望のモードに切り替えると、そのモードに対応した所定の音が音発生手段から発生する。よって、カメラマンは、その音を聞くだけでモードを確認することができるので、ファインダを覗いた状態でも変更したいモードを確認することができる。音発生手段から発生する音は、全てのモードで発生させるようにしてもよく、また、特に頻繁に利用する頻度の高いモードのみ音を発生させるようにしてもよい。
【０００８】
請求項２に記載の発明は、請求項１に記載のカメラにおいて、前記音発生手段は、前記モード切替部材のモード切替位置に設けられた音階板と、前記モード切替部材に取り付けられるとともにモード切替部材の回動又は移動時に前記音階板を弾いて音階板から音を発生させる弾き部材と、からなることを特徴としている。
【０００９】
請求項２に記載のカメラによれば、モード切替部材に設けられた弾き部材が、モード切替位置に設けられた音階板を弾き、音階板から音が発生することにより、モード切替位置に位置したことを、カメラマンはファインダを覗きながらでも確認することができる。音階の異なる音を発生させる複数の音階板を、複数のモード切替位置に取り付けることにより、モード毎に音階の異なる音が発生する。また、クリック機構のボール又は爪（弾き部材に相当）が通過する凸部や凹部（音階板に相当）の高さ、深さを変更することにより、クリック音の音色が変わるので、その凹部をモード切替位置に形成すればよい。
【００１０】
請求項３に記載の発明は、請求項１に記載のカメラにおいて、前記音発生手段は、電子音を発生させる手段であることを特徴としている。モード毎に又は特定のモードに音色の異なる電子音を設定し、モード切替部材がそのモード切替位置に位置したときに、そのモードに対応する電子音を発生させる。また、音色ではなく、そのモードを連想させる曲、音声等を発生させるようにしてもよい。
【発明の効果】
【００１１】
以上説明したように本発明に係るカメラによれば、モード切替部材によって所望のモードに切り替えると、そのモードに対応した所定の音が音発生手段から発生するので、カメラマンは、その音を聞くだけでモードを確認することができる。したがって、カメラマンは、ファインダを覗いた状態でも変更したいモードを確認することができる。
【発明を実施するための最良の形態】
【００１２】
以下添付図面に従って本発明に係るカメラの好ましい実施の形態について詳説する。
【００１３】
図１には、実施の形態に係るカメラ１０の斜視図が示されている。
【００１４】
同図に示すカメラ１０は、被写体像を撮影レンズ１２を介して固体撮像素子に結像し、被写体像を電子データとして取得するデジタルカメラである。カメラ１０のカメラ本体１４の前部には、撮影レンズ１２を保持するレンズ鏡胴１６が設けられ、レンズ鏡胴１６に回動自在に設けられたフォーカスリング１８を手動で回動させることにより撮影レンズ１２のフォーカスレンズが移動されて合焦操作される。また、カメラ本体１４の上部には、外付けストロボ装置が取り付けられるホットシュー２０が設けられ、ホットシュー２０の前方には、ポップアップ式のストロボ２２がカメラ本体１４に起伏自在に設けられている。このストロボ２２は、ポップアップボタン２４を押圧操作することにより、カメラ本体１４側との係合が解除されて起立し、そのストロボ発光部が前方に向けられる。更に、カメラ本体１４の上面には、撮影モードを切り替えるモードダイヤル２６、コマンドダイヤル２８が近接配置され、また、カメラ本体１６のグリップ３０の上面にはシャッターボタン３２が配置されている。更にまた、カメラ本体１４の背面には電子ビューファインダ３４が設けられ、カメラ本体１４の側面にはスピーカ３６が配置されている。なお、符号３８は、撮影レンズ１２の前面に着脱自在に取り付けられるレンズキャップである。
【００１５】
ところで、カメラ本体１４に設けられたモードダイヤル２６は、グリップ部３０を把持した右手の親指で操作し易いようにカメラ本体の上面に回動自在に設けられ、回動操作することにより例えば「ＡＵＴＯ（オート）」、「Ｐ（プログラムオート）」、「Ｓ（シャッタースピード優先オート）」、「Ａ（絞り優先オート）」、「Ｍ（マニュアル）」「動画」、及び「ＳＰ（シーンポジション）」の各々のモードのうち所望のモードを選択することができる。
【００１６】
図２の如くモードダイヤル２６を回動して「ＡＵＴＯ」の刻印４０を、カメラ本体１４に形成された指標４２に合わせ「Ａ（オート）」モードに設定すると、カメラ側で露出・ホワイトバランス等全てが自動的に制御される。また、「Ｐ」の刻印４４を指標４２に合わせ「Ｐ（プログラムオート）」モードに設定すると、シャッタースピードと絞りとがカメラ側で自動的に設定される。また、「Ｓ」の刻印４６を指標４２に合わせ「Ｓ（シャッタースピード優先オート）」モードに設定すると、３秒〜１／１０００秒、１／３ＥＶステップで設定可能となる。また、「Ａ」の刻印４８を指標４２に合わせ「Ａ（絞り優先オート）」モードに設定すると、Ｆ２．８〜Ｆ８（広角側）、Ｆ４．９〜Ｆ１４（望遠側）１／３ＥＶステップで設定可能となる。更に、「Ｍ」の刻印５０を指標４２に合わせ「Ｍ（マニュアル）」モードに設定すると、シャッタースピードと絞り値が自由に設定可能となる。また、「動画」の刻印５２を指標４２に合わせ「動画」モードに設定すると、フルフレーム音声付き動画を所定時間撮影することができる。更にまた「ＳＰ」に設定し、人物の刻印５４、風景の刻印５６、スポーツの刻印５８、夜景の刻印６０の中から選択した刻印を指標４２に合わせると、そのシーンの最適な条件でシャッタースピード、絞り値等が自動設定されて撮影することができる。このようにモードダイヤル２６で所望のモードが選択されると、カメラ側の自動制御により露出・ホワイトバランス、シャッタースピード、絞り等が自動で制御され、好みに応じた撮影条件で撮影することができる。なお、ここで述べたシャッタースピード、Ｆ値の数値等はこれに限定されるものではない。
【００１７】
ところで実施の形態のカメラ１０は、モードダイヤル２６にて所望のモードを選択した際に、そのモードに対応した音が音発生手段から発生するように構成されている。
【００１８】
以下に音発生手段について説明する。
【００１９】
図３、図４、図５には、音発生装置（音発生手段）７０の第１の実施の形態が示されている。図３、図４に示すように音発生装置７０は、クリック機構により機械的に音を発生させる装置であり、一対の爪７２、７２が形成された係合板７４と、円周に沿って鋸歯状の凹部及び凸部が交互に形成されたクリック板７６とから構成されている。
【００２０】
係合板７４はドーナツ状に形成されるとともに、中心に対し対象位置に形成された舌状片７８、７８の下面に爪７２が下方に向けて突設されている。また、舌状片７８の上面にはピン８０が上方に向けて突設され、このピン８０、８０がモードダイヤル２６の下面に形成された穴８２、８２に嵌合されることにより、モードダイヤル２６と係合板７４とが一体化される。
【００２１】
モードダイヤル２６の回転軸８４は、係合板７４の中央開口部７５からクリック板７６の中央開口部７７を介してカメラ本体１４に嵌合される。これにより、モードダイヤル２６がカメラ本体１４に取り付けられる。
【００２２】
ところで、係合板７４の爪７２、７２は、モードダイヤル２６がカメラ本体１４に取り付けられることにより、クリック板７６の凹部及び凸部に対して所定の付勢力をもって当接される。したがって、モードダイヤル２６と一体的に係合板７４が回動されると、係合板７４の爪７２、７２がクリック板７６の凹部及び凸部を交互に通過し、凸部から凹部に移動した時に、爪７２が凹部の底部を叩くことによりクリック音が発生する。
【００２３】
爪７２と凹凸部とからなる実施の形態のクリック機構では、爪７２が凹部に落ち込むことにより、モードダイヤル２６の回動位置の割り出しが行われ、この時に、図２に示したモードダイヤル２６の各刻印４４〜６０が指標４２に割り出しされる。
【００２４】
また、クリック板７６の凹部形状は、図５（Ａ）で示すように、浅い凹部８６、８６…と深い凹部８８とが形成され、浅い凹部８６に爪７２が落ち込んだ際のクリック音と、深い凹部８８に爪７２が落ち込んだ際のクリック音の音色を変えている。実施の形態では、モードダイヤル２６で「ＡＵＴＯ」を選択する位置に凹部８８が形成され、「ＡＵＴＯ」を選択したときに、他のモードを選択した時とは異なる音色の音をクリック機構から発生させるようにしている。したがって、カメラマンは、カメラ１０の電子ビューファインダ３４を覗いた状態で、モードダイヤル２６が「ＡＵＴＯ」に位置したことを容易に確認することができる。
【００２５】
なお、図５（Ａ）の例では、頻繁に使用される頻度の高い「ＡＵＴＯ」を選択する位置に凹部８８を形成したが、これに限定されるものではなく、他のモードを選択する位置に凹部８８を形成してもよい。また、モード毎に凹部の深さを変えて、モード毎に発生するクリック音の音色を変えてもよい。これにより、カメラマンは、カメラ１０の電子ビューファインダ３４を覗いた状態で、モードダイヤル２６がどのモードにあるのかを容易に確認することができる。
【００２６】
また、図５（Ｂ）で示すクリック板７６は、低い凸部９０、９０…と高い凸部９２とが形成され、低い凸部９０から凹部９４に爪７２が落ち込んだ際のクリック音と、高い凸部９２からその両側の凹部９６、９８に爪７２が落ち込んだ際のクリック音の音色を変えている。実施の形態では、モードダイヤル２６で「ＡＵＴＯ」を選択する位置に凹部９６が形成され、「ＡＵＴＯ」を選択したときに、他のモードを選択した時とは異なる音色の音をクリック機構から発生させるようにしている。したがって、カメラマンは、カメラ１０の電子ビューファインダ３４を覗いた状態で、モードダイヤル２６が「ＡＵＴＯ」にあることを容易に確認することができる。また、モードダイヤル２６で「動画」を選択する位置に凹部９８が形成され、「動画」を選択したときに、他のモードを選択した時とは異なる音色の音をクリック機構から発生させるようにしている。したがって、カメラマンは、カメラ１０の電子ビューファインダ３４を覗いた状態で、モードダイヤル２６が「動画」にあることを容易に確認することができる。
【００２７】
更に、図５（Ｃ）で示すクリック板７６は、高さが異なる複数の凸部１００、１００…と、深さの異なる複数の凹部１０２、１０２…を組み合わせ、モード毎に異なる音色の音を発生させたものである。
【００２８】
このように構成された音発生装置７０によれば、クリック機構の爪７２が通過する凹部８６、８８、９４、９６、９８、１０２の深さを変更したり、凸部９２、１００の高さを変更したりすることにより、クリック音の音色が変わるので、カメラマンは、モードダイヤル２６が現在どのモードを選択しているのかを、ファインダを覗きながらでも確認することができる。
【００２９】
図７、図８には、音発生装置（音発生手段）１１０の第２の実施の形態が示され、図３〜図６に示した音発生装置７０と同一又は類似の部材については同一の符号を付してその説明は省略する。
【００３０】
図７、図８に示す音発生装置１１０は、それぞれ長さの異なる６枚の音階板１２０、１２２、１２４、１２６、１２８、１３０によってオルゴールの如く機械的に音を発生させる装置である。また、モードダイヤル２６は、爪１１２が形成された係合板１１４と、爪１１２が係合される凹部１１６が形成されたクリック板１１８とからなるクリック機構によって、各々のモード切替位置において割り出しされている。
【００３１】
６枚の音階板１２０〜１３０は、モードダイヤル２６の回転軌跡に沿って配置されるとともに、モード切替位置に対応した位置に配置されている。また、係合板１１４の舌状片７８には、音階板１２０〜１３０を弾く弾き部材１３２、１３２が水平方向に突設されている。したがって、モードダイヤル２６を回動させて弾き部材１３２、１３２が音階板１２０〜１３０のうちいずれか一つの音階板を弾くと、その音階板から発する音色は、他の音階板から発する音色とは、その長さの関係で異なるため、カメラマンはファインダを覗いた状態であってもその音を聞くだけで、モードダイヤル２６で選択したモードを確認することができる。
【００３２】
図８には、音発生装置（音発生手段）１４０の第３の実施の形態が示されている。
【００３３】
同図に示す音発生装置１４０は、モード毎に音色の異なる電子音をスピーカ３６から発生させる装置である。カメラ１０のＣＰＵ１４２のＲＡＭ１４４には、各モードに対応した音色の異なる電子音情報が記録されており、モードダイヤル２６の接片１４６が接触する、各モードに対応した接片１４８、１５０、１５２、１５４、１５６、１５８、１６０、１６２、１６４、１６６のうち、一つの接片からの導通信号に基づいて、その接片に対応する電子音をＲＡＭ１４４から読み出し、スピーカ３６から発生させる。これによりカメラマンは、ファインダを覗いた状態であっても、その音を聞くことにより、モードダイヤル２６で選択したモードを確認することができる。なお、頻度の高い特定のモードのみ電子音を発生させるようにしてもよく、また、音色ではなく、そのモードを連想させる曲、音声等を発生させるようにしてもよい。
【００３４】
実施の形態では、ダイヤル式のモード切替部材について述べたが、ダイヤル式に限定されるものではなく、スライド移動式のモード切替部材についても同様に適用できる。
【００３５】
また、実施の形態では、カメラのモードダイヤルにおける音発生について述べたが、ＣＤプレーヤー、ＭＤプレーヤー、ラジオ等の小型携帯電子機器のモードダイヤルに本例を適用してもよい。これにより、小型携帯電子機器を直視することなく、例えばポケットに入れた状態でモードダイヤルを操作し、発生する音から所望のモードを選択することができる。
【００３６】
更には、弱視のユーザーなどが使用する機器に用いると、音だけでも操作が判別できるので有用となることも考えられる。
【図面の簡単な説明】
【００３７】
【図１】実施の形態のカメラが示された全体斜視図
【図２】図１に示したカメラのモードダイヤルの平面図
【図３】図１に示したカメラに対するモードダイヤルの組立斜視図
【図４】図３に示したモードダイヤルとクリック機構の組立斜視図
【図５】図４に示したクリック機構のクリック板の展開断面図
【図６】音階板を利用した音発生装置の要部断面図
【図７】図６に示した音階板の取り付け位置を示した平面図
【図８】電子音発生装置の実施の形態を示したブロック図
【符号の説明】
【００３８】
１０…カメラ、２６…モードダイヤル、３４…電子ビューファインダ、３６…スピーカ、７０…、１１０、１４０…音発生装置、７２…爪、７４…係合板、７６…クリック板、８６、８８…凹部、９０、９２、１００…凸部、９４、９６、９８、１０２…凹部、１２０、１２２、１２４、１２６、１２８、１３０…音階板、１３２…弾き部材、１４２…ＣＰＵ、１４４…ＲＡＭ、１４６、１４８、１５０、１５２、１５４、１５６、１５８、１６０、１６２、１６４、１６６…接片
【図１】
2006154051.tif 000003
【図２】
2006154051.tif 000004
【図３】
2006154051.tif 000005
【図４】
2006154051.tif 000006
【図５】
2006154051.tif 000007
【図６】
2006154051.tif 000008
【図７】
2006154051.tif 000009
【図８】
2006154051.tif 000010